(57)【要約】【課題】課金されることなく最大スループットを推定すること。【解決手段】送受信部１０２は、ネットワークとの間に呼を接続してベアラの確立を要求し、要求に対してネットワークから送信されたベアラを確立するためのベアラ設定情報を受信する。ベアラ制御部１０４は、ベアラ設定情報を取得した際に呼を切断する。最大スループット判定部１０７は、ベアラ制御部１０４により取得したベアラ設定情報に基づいて、最大スループットを推定する。【選択図】図１
2011254433.tif 000002
【特許請求の範囲】
【請求項１】
通信相手との間に呼を接続してベアラの確立を要求し、前記要求に対して前記通信相手から送信された前記ベアラを確立するためのベアラ設定情報を受信するとともに、前記ベアラ設定情報を受信した際に前記呼を切断する制御手段と、
前記制御手段により受信した前記ベアラ設定情報に基づいて最大スループットを推定する推定手段と、
を具備する無線通信端末。
【請求項２】
前記制御手段は、前記ベアラの確立の失敗を通知するメッセージを前記通信相手に送信することにより前記呼を切断する請求項１記載の無線通信端末。
【請求項３】
通信システムを示すシステム情報と前記ベアラ設定情報と最大スループットとを対応付けた端末能力情報を記憶する記憶手段をさらに具備し、
前記制御手段は、前記ベアラ設定情報に加えて、前記通信相手から前記システム情報を受信し、
前記推定手段は、前記制御手段により受信した前記システム情報と前記ベアラ設定情報とを用いて、前記端末能力情報を参照することにより前記最大スループットを選択することにより前記推定を行う請求項１記載の無線通信端末。
【請求項４】
前記推定手段により推定した前記最大スループットをネットワークオペレータ毎に表示する表示手段をさらに具備し、
前記推定手段は、前記ネットワークオペレータ毎に前記最大スループットを推定する請求項１記載の無線通信端末。
【請求項５】
受信品質を測定する受信品質測定手段をさらに具備し、
前記推定手段は、前記受信品質測定手段により測定した前記受信品質に応じて前記最大スループットを重み付けすることにより前記推定を行う請求項１記載の無線通信端末。
【請求項６】
無線通信端末における最大スループット推定方法であって、
通信相手との間に呼を接続してベアラの確立を要求し、前記要求に対して前記通信相手から送信された前記ベアラを確立するためのベアラ設定情報を受信するとともに、前記ベアラ設定情報を受信した際に前記呼を切断するステップと、
受信した前記ベアラ設定情報に基づいて最大スループットを推定するステップと、
を具備する最大スループット推定方法。
【発明の詳細な説明】
【技術分野】
【０００１】
本発明は、特に課金されることなく最大スループットを推定する無線通信端末及び最大スループット推定方法に関する。
【背景技術】
【０００２】
３ＧＰＰに準拠したネットワークでは、パケット通信の高速化が期待されている。また３ＧＰＰのリリースバージョンの進化において複数の高速化技術が導入されており、実際のネットワークにおいて期待される最大スループットは、それらの高速化技術の組み合わせで実現される。このため、各ネットワークオペレータに対してユーザが期待するスループットは、ネットワークオペレータが採用する高速化技術により相違する可能性が高い。従って、通信開始前において、予想される最大スループットをユーザが知ることができるようにすれば、使い勝手を向上させることができる。しかしながら、最大スループットを求める際にパケット通信を行うので課金されてしまうという課題がある。
【０００３】
このような課題を解決する方法として、従来、通信開始前において、無線基地局から送信されたヌルデータを受信し、受信したヌルデータを用いてスループットを算出してユーザに提示する無線通信端末が知られている（例えば、特許文献１）。特許文献１によれば、ヌルデータを用いるので、課金対象通信の範囲外でスループットを算出することができる。
【先行技術文献】
【特許文献】
【０００４】
【特許文献１】特開２００５−３５４１２６号公報
【発明の概要】
【発明が解決しようとする課題】
【０００５】
しかしながら、特許文献１においては、データの受信自体には課金されないものの、海外ではデータ種別に関わらずネットワークに接続したことにより課金される場合があり、この場合には課金されてしまうという問題がある。
【０００６】
本発明の目的は、課金されることなく最大スループットを推定することができる無線通信端末及び最大スループット推定方法を提供することである。
【課題を解決するための手段】
【０００７】
本発明の無線通信端末は、通信相手との間に呼を接続してベアラの確立を要求し、前記要求に対して前記通信相手から送信された前記ベアラを確立するためのベアラ設定情報を受信するとともに、前記ベアラ設定情報を受信した際に前記呼を切断する制御手段と、前記制御手段により受信した前記ベアラ設定情報に基づいて最大スループットを推定する推定手段と、を具備する構成を採る。
【０００８】
本発明の最大スループット推定方法は、無線通信端末における最大スループット推定方法であって、通信相手との間に呼を接続してベアラの確立を要求し、前記要求に対して前記通信相手から送信された前記ベアラを確立するためのベアラ設定情報を受信するとともに、前記ベアラ設定情報を受信した際に前記呼を切断するステップと、受信した前記ベアラ設定情報に基づいて最大スループットを推定するステップと、を具備するようにした。
【発明の効果】
【０００９】
本発明によれば、課金されることなく最大スループットを推定することができる。
【図面の簡単な説明】
【００１０】
【図１】本発明の実施の形態１に係る無線通信端末の構成を示すブロック図
【図２】本発明の実施の形態１における無線通信端末及びネットワークの動作を示すシーケンス図
【図３】本発明の実施の形態１に係る最大スループット推定方法を示すフロー図
【図４】本発明の実施の形態１における最大スループットの最大値が４２Ｍｂｐｓの場合の端末能力情報を示す図
【図５】本発明の実施の形態１における最大スループットの最大値が２１Ｍｂｐｓの場合の端末能力情報を示す図
【図６】本発明の実施の形態１における最大スループットの最大値が３５．２Ｍｂｐｓの場合の端末能力情報を示す図
【図７】本発明の実施の形態１における重み情報を示す図
【図８】図４の端末能力情報における変調方式と推定される最大スループットとの関係の一例を示す図
【図９】本発明の実施の形態２に係る無線通信端末の構成を示すブロック図
【発明を実施するための形態】
【００１１】
以下、本発明の実施の形態について、図面を参照して詳細に説明する。
【００１２】
（実施の形態１）
図１は、本発明の実施の形態１に係る無線通信端末１００の構成を示すブロック図である。
【００１３】
無線通信端末１００は、アンテナ１０１と、送受信部１０２と、受信品質測定部１０３と、ベアラ制御部１０４と、呼制御部１０５と、記憶部１０６と、最大スループット判定部１０７と、表示部１０８とから主に構成される。以下に、各構成について詳細に説明する。
【００１４】
アンテナ１０１は、信号を受信して送受信部１０２へ出力するとともに、送受信部１０２から入力した信号を送信する。
【００１５】
送受信部１０２は、アンテナ１０１から入力した受信信号をダウンコンバートして受信品質測定部１０３及びベアラ制御部１０４へ出力する。また、送受信部１０２は、ベアラ制御部１０４から入力した、疑似パケットまたは所定のメッッセージを含む送信データを生成する。また、送受信部１０２は、生成した送信データをアップコンバートして、送信信号としてアンテナ１０１へ出力する。
【００１６】
受信品質測定部１０３は、送受信部１０２から入力した受信信号を用いて受信品質を測定する。また、受信品質測定部１０３は、受信品質の測定結果を最大スループット判定部１０７へ出力する。例えば、受信品質測定部１０３は、受信品質の測定結果として受信信号強度（RSSI:ReceivedSignal Strength Indicator）を最大スループット判定部１０７へ出力する。
【００１７】
ベアラ制御部１０４は、ネットワークとの間に呼を接続するとともに、無線ベアラの確立を要求するメッセージを生成し、生成したメッセージを送受信部１０２へ出力する。また、ベアラ制御部１０４は、送受信部１０２から入力した受信信号に含まれるシステム情報及び無線ベアラ設定情報を抽出する。また、ベアラ制御部１０４は、抽出したシステム情報及び無線ベアラ設定情報を最大スループット判定部１０７へ出力する。また、ベアラ制御部１０４は、無線ベアラ設定情報を受信した場合、接続中の呼を切断するために、シグナリング接続解除指示メッセージを生成し、生成したシグナリング接続解除指示メッセージを送受信部１０２へ出力する。また、ベアラ制御部１０４は、シグナリング接続解除指示メッセージを出力した際に、シグナリング接続解除したことを呼制御部１０５へ通知する。また、ベアラ制御部１０４は、呼制御部１０５から疑似パケットが入力した際に、送受信部１０２を介して呼接続を開始する。
【００１８】
呼制御部１０５は、疑似パケットを生成し、生成した疑似パケットをベアラ制御部１０４へ出力する。また、呼制御部１０５は、シグナリング接続解除した通知をベアラ制御部１０４から受けた際に、疑似パケットの生成を中止する。
【００１９】
記憶部１０６は、システム情報と無線ベアラ設定情報と最大スループットとを対応付けた端末能力情報を記憶する。また、記憶部１０６は、最大スループットを重み付けするための重み情報を記憶する。なお、端末能力情報及び重み情報については、後述する。
【００２０】
最大スループット判定部１０７は、ベアラ制御部１０４から入力した無線ベアラ設定情報とシステム情報とを用いて、記憶部１０６に記憶する端末能力情報を参照することにより最大スループットを選択する。また、最大スループット判定部１０７は、選択した最大スループットに対して、受信品質測定部１０３から入力した測定結果に応じた重み付けをする。具体的には、最大スループット判定部１０７は、受信品質測定部１０３から入力した測定結果を用いて、記憶部１０６に記憶されている重み情報を参照することにより、重み係数を選択する。そして、最大スループット判定部１０７は、選択した重み係数を最大スループットに乗算することにより、最大スループットを重み付けする。また、最大スループット判定部１０７は、重み付けした最大スループットを表示部１０８へ出力する。なお、最大スループットを重み付けする方法については、後述する。
【００２１】
表示部１０８は、最大スループット判定部１０７から入力した最大スループットを表示する。
【００２２】
以上で、無線通信端末１００の構成の説明を終える。
【００２３】
次に、無線通信端末１００及びネットワーク２００の動作について、図２を用いて説明する。図２は、無線通信端末１００及びネットワーク２００の動作を示すシーケンス図である。なお、図２において、ベアラ制御部１０４及び呼制御部１０５は、図１のベアラ制御部１０４及び呼制御部１０５と同一である。また、図２において、説明の便宜上、無線通信端末１００のベアラ制御部１０４及び呼制御部１０５以外の記載を省略する。
【００２４】
ネットワーク２００は、無線通信端末１００のベアラ制御部１０４に対応するベアラ制御部２０１、及び無線通信端末１００の呼制御部１０５に対応する呼制御部２０２を有する。
【００２５】
最初に、ベアラ制御部１０４は、アイドル・モード（Idle mode）を開始する（ステップＳＴ２０１）。
【００２６】
次に、ベアラ制御部１０４は、ベアラ制御部２０１より報知情報としてシステム情報（System Information）を取得する（ステップＳＴ２０２）。
【００２７】
次に、呼制御部１０５は、疑似パケットを生成し、生成した疑似パケットをベアラ制御部１０４へ出力する（ステップＳＴ２０３）。
【００２８】
次に、ベアラ制御部１０４は、ネットワーク２００との間で呼を接続する。具体的には、ベアラ制御部１０４とベアラ制御部２０１との間で、ＲＲＣ接続手順（RRC Connection Procedure）を実行する（ステップＳＴ２０４）。
【００２９】
次に、ベアラ制御部１０４は、サービス要求メッセージ（Initial Direct Transfer （Service Request））をベアラ制御部２０１に送信する（ステップＳＴ２０５）。
【００３０】
次に、ベアラ制御部１０４とベアラ制御部２０１との間で、認証手順（Authentication）（ステップＳＴ２０６）及びセイキュリティ手順（Security Procedure）（ステップＳＴ２０７）を実行する。
【００３１】
次に、呼制御部１０５は、ＰＤＰコンテキスト活性化要求（Activate PDP Context Request）を呼制御部２０２へ送信する（ステップＳＴ２０８）。
【００３２】
次に、呼制御部２０２は、無線ベアラの確立をベアラ制御部２０１に要求する（ステップＳＴ２０９）。
【００３３】
次に、ベアラ制御部２０１は、無線ベアラ確立メッセージ（Radio Bearer Setup）をベアラ制御部１０４へ送信する（ステップＳＴ２１０）。
【００３４】
次に、ベアラ制御部１０４は、無線ベアラ確立を行わずに、呼を切断する動作を開始する（ステップＳＴ２１１）。なお、この際、無線通信端末１００は、最大スループットの推定処理を実行する。
【００３５】
また、ベアラ制御部１０４は、シグナリング接続を解除した旨を呼制御部１０５へ通知する（ステップＳＴ２１２）。
【００３６】
また、ベアラ制御部１０４は、シグナリング接続解除指示（Signaling Connection Release Indication）メッセージをベアラ制御部２０１へ送信する（ステップＳＴ２１３）。ここで、シグナリング接続解除指示メッセージは、既存のメッセージであるが、従来はこのタイミングで送信されるメッセージではない。
【００３７】
また、ベアラ制御部２０１は、無線ベアラ確立の失敗を呼制御部２０２へ通知する（ステップＳＴ２１４）。
【００３８】
次に、呼制御部２０２は、セッション確立の失敗を認識する（ステップＳＴ２１５）。これにより、無線通信端末１００は、課金されることが無くなる。
【００３９】
次に、ベアラ制御部１０４とベアラ制御部２０１との間で、ＲＲＣ接続解除手順（RRC Connection Release Procedure）が実行される（ステップＳＴ２１６）。
【００４０】
次に、ベアラ制御部１０４は、アイドル・モードを終了する（ステップＳＴ２１７）。
【００４１】
以上で、無線通信端末１００及びネットワーク２００の動作の説明を終える。
【００４２】
次に、無線通信端末１００における最大スループット推定方法について、図３を用いて説明する。図３は、無線通信端末１００における最大スループット推定方法を示すフロー図である。なお、図３においては、説明の便宜上、推定した最大スループットに重み付けしない場合について説明する。
【００４３】
最初に、最大スループット判定部１０７は、記憶部１０６に記憶される端末能力情報の端末能力（Ue Capability）がリリース（Release）９９であるか、またはリリース５以降であるかを判定する（ステップＳＴ３０１）。
【００４４】
端末能力がリリース９９の場合に（ステップＳＴ３０１：Ｒｅｌ１９９）、最大スループット判定部１０７は、端末能力情報に設定されている３８４Ｋｂｐｓを最大スループットと推定する。そして、最大スループット判定部１０７は、推定した最大スループットとして３８４Ｋｂｐｓを表示部１０８に表示させる（ステップＳＴ３０２）。
【００４５】
一方、端末能力がリリース５以降の場合に（ステップＳＴ３０１：Ｒｅｌ５以降）、最大スループット判定部１０７は、アンテナ１０１と送受信部１０２とベアラ制御部１０４とを介して待ち受け時のシステム情報を取得する（ステップＳＴ３０３）。ステップＳＴ３０３の処理は、図２のステップＳＴ２０２の動作に伴って実行される。
【００４６】
また、最大スループット判定部１０７は、システム情報を参照して、ＨＳＤＰＡ（High Speed Downlink Packet Access）セルインディケータ（HSDPA Cell indicator）の有無及びＥＤＣＨ（enhanced dedicated transport channel）セルインディケータ（EDCH Cell indicator）の有無を判定する（ステップＳＴ３０４）。
【００４７】
ＨＳＤＰＡセルインディケータが無かつＥＤＣＨセルインディケータが無の場合は（ステップＳＴ３０４：HSDPA Cell Indicator :False、EDCH Cell Indicator :False）、最大スループット判定部１０７は、最大スループットを３８４Ｋｂｐｓと推定し、推定した最大スループットを表示部１０８に表示させる（ステップＳＴ３０２）。
【００４８】
また、ＨＳＤＰＡセルインディケータが有かつＥＤＣＨセルインディケータが無の場合は（ステップＳＴ３０４：HSDPA Cell Indicator :True、EDCH Cell Indicator :False）、最大スループット判定部１０７は、対応する最大スループットを端末能力情報より選択する（ステップＳＴ３０５）。そして、最大スループット判定部１０７は、選択した最大スループットを、推定した最大スループットとして表示部１０８に表示させる。
【００４９】
一方、ＨＳＤＰＡセルインディケータが有かつＥＤＣＨセルインディケータが有の場合は（ステップＳＴ３０４：HSDPA Cell Indicator :True、EDCH Cell Indicator :True）、最大スループット判定部１０７は、ベアラ制御部１０４に疑似パケットの送信を指示する。また、ベアラ制御部１０４は、呼制御部１０５から受け取った疑似パケットを送受信部１０２及びアンテナ１０１を介して送信開始する（ステップＳＴ３０６）。これにより、図２のステップＳＴ２０３の動作が行われる。
【００５０】
また、最大スループット判定部１０７は、無線ベアラ確立メッセージに含まれる無線ベアラ設定情報を取得する（ステップＳＴ３０７）。ステップＳＴ３０７の処理は、図２のステップＳＴ２１０の動作に伴って実行される。
【００５１】
また、最大スループット判定部１０７は、無線ベアラ設定情報のリリース判定を行う（ステップＳＴ３０８）。
【００５２】
リリースの判定結果がリリース７またはリリース８の場合に（ステップＳＴ３０８：Ｒｅｌ７／Ｒｅｌ８）、最大スループット判定部１０７は、無線ベアラ設定情報のオペレーション・モード（Operation mode）判定を行う（ステップＳＴ３０９）。
【００５３】
次に、最大スループット判定部１０７は、対応する最大スループットを端末能力情報より選択する（ステップＳＴ３１０）。そして、最大スループット判定部１０７は、選択した最大スループットを、推定した最大スループットとして表示部１０８に表示させる。
【００５４】
一方、リリースの判定結果がリリース６の場合に（ステップＳＴ３０８：Ｒｅｌ６）、最大スループット判定部１０７は、ステップＳＴ３０９の処理をスキップして、対応する最大スループットを端末能力情報より選択する（ステップＳＴ３１０）。そして、最大スループット判定部１０７は、選択した最大スループットを、推定した最大スループットとして表示部１０８に表示させる。
【００５５】
また、ベアラ制御部１０４は、最大スループット判定部１０７の指示に従って、疑似パケットの送信を中断する（ステップＳＴ３１１）。
【００５６】
以上で、無線通信端末１００における最大スループット推定方法の説明を終える。
【００５７】
次に、端末能力情報について、図４〜図６を用いて説明する。図４は、最大スループットの最大値が４２Ｍｂｐｓの場合の端末能力情報（Ue Capability Cat.24）を示す図である。また、図５は、最大スループットの最大値が２１Ｍｂｐｓの場合の端末能力情報（Ue Capability Cat.21）を示す図である。また、図６は、最大スループットの最大値が３５．２Ｍｂｐｓの場合の端末能力情報を示す図である。
【００５８】
図４〜図６に示すように、端末能力情報は、システム情報と、無線ベアラ設定情報と、最大スループットとを対応付けた情報である。また、システム情報は、通信方式を示す情報であり、例えば、ＨＳＤＰＡセルインディケータの有無及びＥＤＣＨセルインディケータの有無を示す情報である。また、無線ベアラ設定情報は、無線ベアラを確立するための情報であり、例えば、３ＧＰＰのリリース（3GPP Release）と、ＭＩＭＯ(Multiple-Input Multiple-Output)の有無と、デユアルセル（Dual Cell）の有無とを対応付けた情報である。ここで、デュアルセルとは、使用する帯域を二重化することにより、２倍の通信速度を実現することをいう。
【００５９】
ここで、図４〜図６のシステム情報は、図３のステップＳＴ３０４において参照される情報である。また、図４〜図６の無線ベアラ設定情報の３ＧＰＰリリースは、図３のステップＳＴ３０８において参照される情報である。また、図４〜図６の無線ベアラ設定情報のＭＩＭＯ及びデュアルセルは、図３のステップＳＴ３０９において参照される情報である。また、図４〜図６の最大スループットは、図３のステップＳＴ３０２、ステップＳＴ３０５またはステップＳＴ３１０において参照される情報である。
【００６０】
以上で、端末能力情報の説明を終える。
【００６１】
次に、最大スループットの重み付けの方法について、図７を用いて説明する。図７は、重み情報を示す図である。
【００６２】
図７より、重み情報において、割合ａ、ｂ、ｃは、重み係数であり、電界強度に応じて０以上かつ１以下の値が設定される。
【００６３】
最大スループット判定部１０７は、（１）式を用いて、最大スループットを重み付けする。（１）式は、図４の端末能力情報より選択した最大スループットを重み付けする場合について示す。
最大スループットの推定値＝４２×ａ＋２１×ｂ＋１０×ｃ        （１）
ただし、ａ、ｂ、ｃは、図７の重み情報における割合
【００６４】
具体的には、最大スループット判定部１０７は、受信品質測定部１０３における受信品質の測定結果が示す電界強度に応じた割合ａ、ｂ、ｃの値を選択する。例えば、最大スループット判定部１０７は、受信品質の測定結果が中電界である場合には、図７の重み情報よりａ＝０、ｂ＝１及びｃ＝０の各値を選択する。そして、最大スループット判定部１０７は、選択した割合ａ、ｂ、ｃの各値を（１）式に代入することにより最大スループットを重み付けする。また、受信品質の測定結果が弱電界から強電界までのいずれに該当するかを判定する際には、例えば、受信品質の測定結果と閾値とを比較することにより判定することができる。
【００６５】
また、図７の重み情報は、実際に通信を開始した後、受信品質測定部１０３により測定した受信品質の測定値により補正するようにしてもよい。例えば、通信開始前の重み付け後の最大スループットと、実際に通信を開始した後の最大スループットとの間に所定値以上の差がある場合に、実際に通信を開始した後の最大スループットに近づくように図７の割合ａ、ｂ、ｃの値を再設定する。
【００６６】
因みに、推定される最大スループットは、変調方式に応じて変化する。図８は、図４の端末能力情報における、変調方式と推定される最大スループットとの関係の一例を示す図である。
【００６７】
図８より、変調多値数が多くなるほど最大スループットは大きくなる。
【００６８】
このように、本実施の形態によれば、無線ベアラが確立される前に呼を切断するので、課金されることなく最大スループットを推定することができる。また、本実施の形態によれば、推定する最大スループットを受信品質に応じて重み付けするので、最大スループットの推定精度を向上させることができる。また、本実施の形態によれば、通信を開始した後の受信品質により重み情報を補正する場合には、最大スループットの推定精度をさらに向上させることができる。また、本実施の形態によれば、既存のシグナリング接続解除指示メッセージを、最大スループット推定時における呼の切断用のメッセージとして兼用する。これにより、最大スループット推定時における呼の切断用の専用のメッセージの送受信を不要にすることができ、伝送効率を向上させることができる。また、本実施の形態によれば、最大スループット推定時における呼の切断用のメッセージとしてシグナリング接続解除指示メッセージを用いるので、ネットワーク側において異常切断の履歴を残さずに呼を切断することができる。
【００６９】
（実施の形態２）
図９は、本発明の実施の形態２に係る無線通信端末９００の構成を示すブロック図である。
【００７０】
図９に示す無線通信端末９００は、図１に示す実施の形態１に係る無線通信端末１００に対して、オペレータ選択処理部９０３を追加し、記憶部１０６の代わりに記憶部９０１を有し、最大スループット判定部１０７の代わりに最大スループット判定部９０２を有する。なお、図９において、図１と同一構成である部分には同一の符号を付してその説明を省略する。
【００７１】
無線通信端末９００は、アンテナ１０１と、送受信部１０２と、受信品質測定部１０３と、ベアラ制御部１０４と、呼制御部１０５と、表示部１０８と、記憶部９０１と、最大スループット判定部９０２と、オペレータ選択処理部９０３とから主に構成される。以下に、上記の実施の形態１と異なる構成について詳細に説明する。
【００７２】
受信品質測定部１０３は、送受信部１０２から入力した受信信号を用いて受信品質を測定する。また、受信品質測定部１０３は、受信品質の測定結果を最大スループット判定部９０２へ出力する。
【００７３】
ベアラ制御部１０４は、送受信部１０２から入力した受信信号に含まれるシステム情報及び無線ベアラ設定情報を抽出する。また、ベアラ制御部１０４は、抽出したシステム情報及び無線ベアラ設定情報を最大スループット判定部９０２へ出力する。また、ベアラ制御部１０４は、無線ベアラ設定情報を受信した場合、接続中の呼を切断するために、無線ベアラ確立失敗メッセージを生成し、生成した無線ベアラ確立失敗メッセージを送受信部１０２へ出力する。また、ベアラ制御部１０４は、無線ベアラ確立失敗メッセージを出力した際に、ベアラ確立の失敗を呼制御部１０５へ通知する。また、ベアラ制御部１０４は、呼制御部１０５から疑似パケットが入力した際に、送受信部１０２を介して呼接続を行い、入力した疑似パケットを送受信部１０２へ出力する。
【００７４】
記憶部９０１は、システム情報と無線ベアラ設定情報と最大スループットとを対応付けた端末能力情報をシステムオペレータ毎に記憶する。
【００７５】
最大スループット判定部９０２は、ベアラ制御部１０４から入力した無線ベアラ設定情報とシステム情報とを用いて、記憶部９０１に記憶する端末能力情報を参照することにより最大スループットを選択する。この際、最大スループット判定部９０２は、オペレータ選択処理部９０３から指示されたネットワークオペレータの最大スループットについて選択を行う。また、最大スループット判定部９０２は、選択した最大スループットに対して、受信品質測定部１０３から入力した測定結果に応じた重み付けをする。また、最大スループット判定部９０２は、重み付けした最大スループットをネットワークオペレータ毎にオペレータ選択処理部９０３へ出力する。
【００７６】
オペレータ選択処理部９０３は、ネットワークオペレータの選択を外部から受け付けて、選択されたネットワークオペレータの最大スループットを選択するように最大スループット判定部９０２に指示する。また、オペレータ選択処理部９０３は、最大スループット判定部９０２から入力したネットワークオペレータ毎の最大スループットを表示部１０８へ出力する。
【００７７】
表示部１０８は、オペレータ選択処理部９０３から入力した最大スループットをネットワークオペレータ毎に表示する。例えば、表示部１０８は、ネットワークオペレータ名と最大スループットとを対応付けた一覧により表示する。
【００７８】
なお、無線通信端末９００及びネットワークの動作と、最大スループット推定方法と、最大スループットの重み付けの方法とは、システムオペレータを選択する以外は上記の実施の形態１と同様であるので、その説明を省略する。また、端末能力情報は、システムオペレータ毎に記憶する以外は、上記の実施の形態１と同様であるので、その説明を省略する。
【００７９】
このように、本実施の形態によれば、上記の実施の形態１の効果に加えて、ネットワークオペレータ毎に最大スループットを推定して表示するので、最大スループットを考慮した最適なネットワークオペレータを選択することができる。
【００８０】
なお、上記の実施の形態１及び実施の形態２において、端末能力情報の内容及び数値は、図４〜図６に限らず、任意に変更することができる。また、上記の実施の形態１及び実施の形態２において、重み情報の割合ａ、ｂ、ｃ及び（１）式の数値は、通信環境に応じて適宜変更することができる。
【産業上の利用可能性】
【００８１】
本発明にかかる無線通信端末及び最大スループット推定方法は、特に課金されることなく最大スループットを推定するのに好適である。
【符号の説明】
【００８２】
１００、９００  無線通信端末
１０１  アンテナ
１０２  送受信部
１０３  受信品質測定部
１０４、２０１  ベアラ制御部
１０５、２０２  呼制御部
１０６、９０１  記憶部
１０７、９０２  最大スループット判定部
１０８  表示部
２００  ネットワーク
９０３  オペレータ選択処理部
【図１】
2011254433.tif 000003
【図２】
2011254433.tif 000004
【図３】
2011254433.tif 000005
【図４】
2011254433.tif 000006
【図５】
2011254433.tif 000007
【図６】
2011254433.tif 000008
【図７】
2011254433.tif 000009
【図８】
2011254433.tif 000010
【図９】
2011254433.tif 000011